(57)【要約】【課題】ノイズの影響を受け難い漏液検出装置を提供すること。【解決手段】非反転増幅器１２は発振器１１から出力された交流信号Ｓ０と同相で振幅が２倍の第１の検出信号Ｓ１を出力し、反転増幅器１３は交流信号Ｓ０と逆相で振幅が２倍の第２の検出信号Ｓ２を出力する。そして、非反転増幅器１２の出力端子を可変抵抗ＶＲの第１端子に接続し、反転増幅器１３の出力端子を検出用抵抗Ｒｘの第１端子に接続する。更に、可変抵抗ＶＲの抵抗値を漏液が発生していないときの検出用抵抗Ｒｘと同じ抵抗値に設定して、可変抵抗ＶＲの第２端子と検出用抵抗Ｒｘの第２端子とを互いに接続する。【選択図】図１
2008116213.tif 000002
【特許請求の範囲】
【請求項１】
所定の信号を受けて第１の検出信号を送出する第１の送出手段と、
前記所定の信号を受けて前記第１の検出信号の振幅と同じ振幅を有し、前記第１の検出信号の位相を反転した位相を有する第２の検出信号を出力する第２の送出手段と、
前記第２の送出手段の出力端子に接続され、漏液検出箇所に配置される検出用抵抗と、
前記第１の送出手段の出力端子に接続される平衡抵抗と、
前記平衡抵抗と前記検出用抵抗との接続点に接続されて電流を電圧信号に変換する電流電圧変換手段と、
しきい値と電圧信号のレベルとを比較し、該比較結果に基づいて漏液の有無を検出する検出処理手段と、
を備えたことを特徴とする漏液検出装置。
【請求項２】
前記平衡抵抗の抵抗値を変更可能な抵抗値調整手段を有する、ことを特徴とする請求項１に記載の漏液検出装置。
【請求項３】
前記第１の送出手段及び前記第２の送出手段のいずれか一方は非反転増幅器であり、いずれか他方は反転増幅器である、ことを特徴とする請求項１又は２に記載の漏液検出装置。
【請求項４】
前記検出用抵抗と前記平衡抵抗との接続点の電圧に応じた値を算出する演算手段と、
前記演算手段によって算出された値をしきい値として設定するしきい値設定手段と、を備え、
前記しきい値設定手段は、トリガー信号が入力された場合にしきい値を設定することを特徴とする請求項１〜３のうちのいずれか一項に記載の漏液検出装置。
【請求項５】
前記トリガー信号は、所定期間毎に前記しきい値設定手段に入力され、
前記所定期間は、変更可能に設定されることを特徴とする請求項４に記載の漏液検出装置。
【発明の詳細な説明】
【技術分野】
【０００１】
本発明は、漏液検出装置に関するものである。
【背景技術】
【０００２】
従来、壁面や装置表面等での漏液を検出するために、漏液検出箇所に配置される検出体と、検出体からの検出信号に基づいて漏液の有無を判定する漏液検出器とを備えた漏液検出装置がある。例えば、特許文献１には、絶縁被覆内に一定間隔で収納された２本の導体の一部が露出され、それぞれの露出導体部分を漏液検出電極として形成された検出体を有する漏液検出装置が開示されている。この漏液検出装置では、漏液の有無により漏液検出電極間が開放又は短絡状態となることで変化する検出信号を漏液検出器において判定し、漏液の有無を検出している。
【特許文献１】特開２０００−１３１１７６号公報
【発明の開示】
【発明が解決しようとする課題】
【０００３】
ところで、上記特許文献１に開示された漏液検出装置では、検出する液体の純度が高い場合等、漏液検出電極間の抵抗値が高くなると、漏液検出電極間を流れる電流が微弱になるため、ノイズの影響を受けやすくなる。そこで、漏液検出装置にノイズを除去するための構成を付加することが考えられるが、そうすると、漏液検出装置の構成が複雑になるといった問題点がある。
【０００４】
本発明は上記問題点を解決するためになされたものであって、その目的は、ノイズの影響を受け難く、誤検出を低減することができる漏液検出装置を提供することにある。
【課題を解決するための手段】
【０００５】
上記目的を達成するため、請求項１に記載の発明は、所定の信号を受けて第１の検出信号を送出する第１の送出手段と、前記所定の信号を受けて前記第１の検出信号の振幅と同じ振幅を有し、前記第１の検出信号の位相を反転した位相を有する第２の検出信号を出力する第２の送出手段と、前記第２の送出手段の出力端子に接続され、漏液検出箇所に配置される検出用抵抗と、前記第１の送出手段の出力端子に接続される平衡抵抗と、前記平衡抵抗と前記検出用抵抗との接続点に接続されて電流を電圧信号に変換する電流電圧変換手段と、しきい値と電圧信号のレベルとを比較し、該比較結果に基づいて漏液の有無を検出する検出処理手段と、備えた。
【０００６】
同構成によれば、第１の送出手段に接続された側の平衡抵抗の端子における電位は第１の検出信号に応じて変化し、第２の送出手段に接続された側の検出用抵抗の端子における電位は、第１の検出信号と振幅が同じで位相が反転した第２の検出信号に応じて変化する。そのため、漏液が発生していないときには、平衡抵抗と前記検出用抵抗との接続点において所定の電位で安定する。一方、漏液が発生しているときには、検出用抵抗の抵抗値が変化するため、平衡抵抗と前記検出用抵抗との接続点において電位が変化し、該電位に応じた電流が電流電圧変換手段によって電圧信号に変換される。そして、検出処理手段が、電圧信号のレベルとしきい値とを比較し、該比較結果に基づいて漏液の有無を判定する。このように、漏液が発生した場合に、検出用抵抗の抵抗値が変化することにより変化する平衡抵抗と検出用抵抗との接続点の電位に基づいて漏液の有無を検出する。そのため、検出する液体の抵抗率が高い場合であっても、検出用抵抗を流れる電流が微弱にはならないので、ノイズの影響を受け難く、誤検出を低減することができる。
【０００７】
請求項２に記載の発明は、請求項１に記載の漏液検出装置において、前記平衡抵抗の抵抗値を変更可能な抵抗値調整手段を有する。同構成によれば、検出用抵抗が検出する液体の影響などで劣化して、その抵抗値が変化した場合であっても、平衡抵抗の抵抗値を変更することで、平衡抵抗の抵抗値と検出用抵抗の抵抗値との差を埋めて、安定した非検出状態を維持できる。
【０００８】
請求項３に記載の発明は、請求項１又は２に記載の漏液検出装置において、前記第１の送出手段及び前記第２の送出手段のいずれか一方は非反転増幅器であり、いずれか他方は反転増幅器である。同構成によれば、市場において入手が容易な反転増幅器及び非反転増幅器を、第１の送出手段及び前記第２の送出手段として用いることから、漏液検出装置の作成が容易になる。
【０００９】
請求項４に記載の発明は、請求項１〜３のうちのいずれか一項に記載の漏液検出装置において、前記検出用抵抗と前記平衡抵抗との接続点の電圧に応じた値を算出する演算手段と、前記演算手段によって算出された値をしきい値として設定するしきい値設定手段と、を備え、前記しきい値設定手段は、トリガー信号が入力された場合にしきい値を設定する。同構成によれば、検出用抵抗と平衡抵抗との接続点の電圧に応じたしきい値が算出され、該しきい値が所定期間毎に更新設定されるため、誤検出を低減することができる。
【００１０】
請求項５に記載の発明は、請求項４に記載の漏液検出装置において、前記トリガー信号は、所定期間毎に前記しきい値設定手段に入力され、前記所定期間は、変更可能に設定される。同構成によれば、しきい値を更新設定する所定期間を変更することができる。
【発明の効果】
【００１１】
本発明によれば、ノイズの影響を受け難く、誤検出を低減することができる漏液検出装置を提供することができる。
【発明を実施するための最良の形態】
【００１２】
以下、本発明を具体化した一実施の形態を図面に従って説明する。
図１は、漏液検出装置のブロック回路図である。漏液検出装置は、壁面や装置表面等の漏液検出箇所における漏液の有無を検出するために用いられる。
【００１３】
漏液検出装置には、漏液検出器１０と、検出体としての検出用抵抗Ｒｘとが設けられている。漏液検出器１０は、発振器１１と、非反転増幅器１２と、反転増幅器１３とを含む。発振器１１の出力端子は、非反転増幅器１２の入力端子及び反転増幅器１３の入力端子に接続されている。発振器１１は、所定の信号として、例えば正弦波電圧の交流信号Ｓ０を生成して出力する。非反転増幅器１２は、入力した交流信号Ｓ０を増幅して、交流信号Ｓ０と同相の第１の検出信号Ｓ１を出力し、反転増幅器１３は、入力した交流信号Ｓ０を非反転増幅器１２と同じ増幅率で増幅して、交流信号Ｓ０と逆相の第２の検出信号Ｓ２を出力する。
【００１４】
本実施形態において、非反転増幅器１２は、抵抗値が同じである抵抗Ｒ１，Ｒ２と、オペアンプ１４を有し、オペアンプ１４の反転入力端子が抵抗Ｒ１を介して接地されているとともに、抵抗Ｒ２を介して出力端子と接続され、非反転入力端子が発振器１１の出力端子に接続されている。従って、非反転増幅器１２の増幅率は２となり、発振器１１から出力された交流信号Ｓ０と同相で振幅が２倍の第１の検出信号Ｓ１を出力する。また、反転増幅器１３は、抵抗Ｒ３と、抵抗Ｒ３の２倍の抵抗値を有する抵抗Ｒ４と、オペアンプ１５とを有し、抵抗Ｒ３の第１端子が発振器１１の出力端子に接続され、抵抗Ｒ３の第２端子がオペアンプ１５の反転入力端子に接続されている。また、オペアンプ１５の反転入力端子には、オペアンプ１５の出力端子が抵抗Ｒ４を介して接続されており、オペアンプ１５の非反転入力端子は接地されている。従って、反転増幅器１３の増幅率は２となり、発振器１１から出力された交流信号Ｓ０と逆相で振幅が２倍の第２の検出信号Ｓ２を出力する。
【００１５】
非反転増幅器１２の出力端子は平衡抵抗としての可変抵抗ＶＲの第１端子に接続され、反転増幅器１３の出力端子は接続端子Ｐ１を介して検出用抵抗Ｒｘの第１端子に接続されている。可変抵抗ＶＲの第２端子と検出用抵抗Ｒｘの第２端子とは接続端子Ｐ２を介して互いに接続され、その接続点はＩ／Ｖ変換器１６に接続されている。
【００１６】
Ｉ／Ｖ変換器１６の出力端子は、検出処理手段，しきい値設定手段，抽出手段及び演算手段としてのマイクロコンピュータ１７の入力端子に接続されている。マイクロコンピュータ１７内には、メモリ１８が設けられ、マイクロコンピュータ１７の出力端子は、接続端子Ｐ３に接続され、図示しない外部機器に接続されている。Ｉ／Ｖ変換器１６は、電流を電圧信号（アナログ信号）に変換して、マイクロコンピュータ１７に出力する。マイクロコンピュータ１７は、電圧信号をＡ／Ｄ（アナログ−デジタル）変換して、検出値を取得し、該検出値に基づいて漏液の有無を判定する。そして、マイクロコンピュータ１７は、判定結果に応じた信号を外部機器に出力する。
【００１７】
詳述すると、マイクロコンピュータ１７は所定周期（例えば、１秒）毎に、その間に取得した検出値から最大値及び最小値を抽出し、該最大値と該最小値との差（以下、判定値）を算出する。そして、マイクロコンピュータ１７は、判定値と漏液が発生していないときのノードｎ１の電圧に応じたしきい値とを比較し、判定値がしきい値よりも大きい場合に、漏液が発生したと判定する。更に、マイクロコンピュータ１７は、所定期間（例えば、１分）内に漏液を検出しなかった場合に、その所定期間での判定値の平均値を算出し、該平均値としきい値との差が所定値（例えば、漏液が発生した場合に生じる判定値の変化量）となるようにしきい値を更新設定する。そのため、微量の液体が検出用抵抗Ｒｘに付着した場合や大気の湿度変化等による誤検出を低減できる。また、外部から設定情報を入力することにより、マイクロコンピュータ１７は設定情報に応じて所定期間を変更することができる。
【００１８】
マイクロコンピュータ１７は、最大値及び最小値の抽出方法として所定周期内に、電圧信号をＡ／Ｄ変換した検出値と、メモリ１８に記憶された最大値及び最小値とを比較する。そして、検出値が最大値よりも大きいときは該検出値にてメモリ１８に記憶される最大値を更新し、検出値が最小値より小さいときは該検出値にてメモリ１８に記憶される最小値を更新する。この抽出方法によれば、メモリ１８に記憶されるデータは２つで済むため、容量の大きなメモリ１８を必要とせず低コスト化を図ることができる。
【００１９】
尚、初期状態では、メモリ１８に記憶される最大値及び最小値は、例えば、最大値及び最小値は０となっている。またマイクロコンピュータ１７は、検出動作中、所定周期経過後に最大値及び最小値を、再び０に設定する。
【００２０】
さらに本実施形態では、マイクロコンピュータ１７は、検出値に基づいてノイズが混入しているか否かを判定し、その判定結果に基づいて、ノイズによる検出値を最大値及び最小値の判定対象として抽出しないようにしている。詳述すると、マイクロコンピュータ１７は、ノイズの判定を、連続する２つの検出値の差により行う。例えば、その時の検出値をＳｎとし、１つ前の検出値をＳｎ−１とすると、マイクロコンピュータ１７は検出値Ｓｎと検出値Ｓｎ−１の電圧値の差を求め、その差が所定値（例えば、発振器１１から出力される交流信号Ｓ０の電圧の最大値と最小値との差）より大きいときは、検出値Ｓｎをノイズによるものと判定する。そしてマイクロコンピュータ１７は、そのノイズによる検出値Ｓｎを最大値及び最小値の判定対象として抽出しない。このため、ノイズの影響による検出値に基づいて漏液の有無を判定することを減少させ、誤検出を抑制することができる。尚、ノイズの判定に際して、連続する２つの検出値の差を複数（例えば、４つ）算出して、その差の移動平均値に基づいて行ってもよい。
【００２１】
上記のように構成された漏液検出装置の動作について説明する。
先ず、検出用抵抗Ｒｘを漏液検出箇所に配置し、可変抵抗ＶＲの抵抗値を漏液が発生していないときの検出用抵抗Ｒｘとほぼ同じ抵抗値に設定する。つまり、可変抵抗ＶＲは、平衡抵抗の抵抗値を調整する抵抗値調整手段として機能する。このように、可変抵抗ＶＲの抵抗値を設定することができるので、検出用抵抗Ｒｘが検出する液体の影響などで劣化して、その抵抗値が変化した場合であっても、可変抵抗ＶＲによって検出用抵抗Ｒｘとの差を埋めて安定した非検出状態を維持できる。
【００２２】
検出動作中、漏液検出器１０内において、発振器１１から交流信号Ｓ０が出力され、非反転増幅器１２及び反転増幅器１３に入力される。そして、非反転増幅器１２からは交流信号Ｓ０と同相で振幅が２倍の第１の検出信号Ｓ１が可変抵抗ＶＲに出力され、反転増幅器１３からは交流信号Ｓ０と逆相で振幅が２倍の第２の検出信号Ｓ２が検出用抵抗Ｒｘに出力される。そのため、可変抵抗ＶＲの第１端子における電位Ｖｖｒ１は第１の検出信号Ｓ１に応じて変化し、検出用抵抗Ｒｘの第１端子における電位Ｖｒｘ１は第２の検出信号Ｓ２に応じて変化するので、電位Ｖｖｒ１と電位Ｖｒｘ１とは絶対値が同じで、符号の異なる電位になる。Ｉ／Ｖ変換器１６は、ノードｎ１に発生した電流に応じた電圧信号をマイクロコンピュータ１７に出力し、マイクロコンピュータ１７は、この電圧信号から判定値を取得して、該判定値としきい値とを比較することによって漏液の有無を判断する。
【００２３】
漏液検出箇所に漏液が発生していない場合には、検出用抵抗Ｒｘと可変抵抗ＶＲの抵抗値とを等しくした場合、可変抵抗ＶＲの第２端子と検出用抵抗Ｒｘの第２端子との間のノードｎ１における電位Ｖｎ１は０Ｖとなり、変化しない。従って、Ｉ／Ｖ変換器１６からは電流が発生しない状態に応じた電圧信号が出力され、マイクロコンピュータ１７は、この電圧信号から判定値を算出し、該判定値としきい値とを比較して漏液が無いと判定する。
【００２４】
周辺温度の変化等の影響によって、可変抵抗ＶＲの抵抗値と検出用抵抗Ｒｘの抵抗値とが僅かに変動して異なる値になり、ノードｎ１の電位Ｖｎ１が変化する場合であっても、マイクロコンピュータ１７は、判定値がしきい値の範囲内である場合に漏液が発生していないと判定するため、誤検出することを低減できる。
【００２５】
漏液検出箇所に漏液が有る場合では、検出用抵抗Ｒｘの抵抗値が変化するため、可変抵抗ＶＲの抵抗値と検出用抵抗Ｒｘの抵抗値とが異なる値になり、ノードｎ１の電位Ｖｎ１が交流信号Ｓ０の周波数に応じて変化する。従って、ノードｎ１の電位Ｖｎ１に応じた電流が発生し、Ｉ／Ｖ変換器１６からはこの電流に応じた電圧信号がマイクロコンピュータ１７に出力され、マイクロコンピュータ１７は、この電圧信号から判定値を算出し、該判定値としきい値とを比較する。そして、マイクロコンピュータ１７は、この判定値がしきい値よりも大きい場合に、漏液が発生したと判定する。
【００２６】
このように、液体が検出用抵抗Ｒｘに付着した場合に、検出用抵抗Ｒｘの抵抗値が変化することにより変化するノードｎ１の電位Ｖｎ１に基づいて漏液の有無を検出する。そのため、検出する液体の抵抗率が高い場合であっても、検出用抵抗Ｒｘを流れる電流が微弱にはならないので、ノイズの影響を受け難く、誤検出を低減することができる。
【００２７】
以上記述したように、本実施の形態によれば、以下の効果を奏する。
（１）非反転増幅器１２は増幅率が１に設定され、発振器１１から出力された交流信号Ｓ０と同相で振幅が２倍の第１の検出信号Ｓ１を出力し、反転増幅器１３は増幅率が１に設定され、として交流信号Ｓ０と逆相で振幅が２倍の第２の検出信号Ｓ２を出力する。そして、非反転増幅器１２の出力端子を可変抵抗ＶＲの第１端子に接続し、反転増幅器１３の出力端子を検出用抵抗Ｒｘの第１端子に接続する。そのため、可変抵抗ＶＲの第１端子における電位Ｖｖｒ１は第１の検出信号Ｓ１に応じて変化し、検出用抵抗Ｒｘの第１端子における電位Ｖｒｘ１は第２の検出信号Ｓ２に応じて変化するので、電位Ｖｖｒ１と電位Ｖｒｘ１とは絶対値が同じで、符号の異なる電位になる。また、可変抵抗ＶＲの抵抗値を漏液が発生していないときの検出用抵抗Ｒｘと同じ抵抗値に設定して、可変抵抗ＶＲの第２端子と検出用抵抗Ｒｘの第２端子とを互いに接続する。従って、漏液が発生していないときには、可変抵抗ＶＲの抵抗値と検出用抵抗Ｒｘの抵抗値とが等しいため、ノードｎ１における電位Ｖｎ１は変化しない。一方、漏液が発生しているときには、検出用抵抗Ｒｘの抵抗値が変化するため、可変抵抗ＶＲの抵抗値と検出用抵抗Ｒｘの抵抗値とが異なった値になり、ノードｎ１の電位Ｖｎ１が交流信号Ｓ０の周波数に応じて変化する。このように、液体が検出用抵抗Ｒｘに付着した場合に、検出用抵抗Ｒｘの抵抗値が変化することにより変化するノードｎ１の電位Ｖｎ１に基づいて漏液の有無を検出する。そのため、検出する液体の抵抗率が高い場合であっても、検出用抵抗Ｒｘを流れる電流が微弱にはならないので、ノイズの影響を受け難く、誤検出を低減することができる。
【００２８】
（２）可変抵抗ＶＲの抵抗値を変更することができるので、検出用抵抗Ｒｘが検出する液体の影響などで劣化して、その抵抗値が変化した場合であっても、可変抵抗ＶＲによって検出用抵抗Ｒｘとの差を埋めて安定した非検出状態を維持できる。仮に差が埋まらなくとも、検出用抵抗Ｒｘの抵抗値と可変抵抗ＶＲの抵抗値とに応じたしきい値を設定することにより、安定した非検出状態を維持できる。
【００２９】
（３）マイクロコンピュータ１７は、Ｉ／Ｖ変換器１６から出力される電圧信号に基づいて判定値を算出し、判定値と漏液が発生していないときのノードｎ１の電圧に応じたしきい値とを比較し、判定値がしきい値よりも大きい場合に、漏液が発生したと判定する。そのため、可変抵抗ＶＲの抵抗値と検出用抵抗Ｒｘの抵抗値が、周辺温度の変化等の影響によって、僅かに変動して異なる値になり、電流が発生した場合であっても、誤検出することを抑制できる。
【００３０】
（４）最新の検出値とその直前数点の検出値のうちいずれかの検出値との電圧信号レベルの差が所定値以上であれば、該最新の検出値は最大値又は最小値の抽出対象としない。そのため、検出動作中のノイズによる検出値に基づいて漏液の有無を判定することを減少させ、誤検出を抑制することができる。
【００３１】
尚、上記各実施の形態は、以下の態様で実施してもよい。
・上記実施形態では、第１の送出手段として非反転増幅器１２を、第２の送出手段として反転増幅器１３を用いたが、これに限らず、第１の送出手段から出力される第１の検出信号Ｓ１と、第２の送出手段から出力される第２の検出信号Ｓ２とが、その振幅が同じであり、且つ、位相が互いに反転した信号として出力されるようにすればよい。
【００３２】
例えば、図２に示すように、第１の送出手段として反転増幅器２１を用い、反転増幅器１３の入力端子側にインバータ２２を接続してもよい。反転増幅器１３及びインバータ２２は第２の送出手段を構成する。反転増幅器２１は、抵抗Ｒ５と、抵抗Ｒ５の２倍の抵抗値を有する抵抗Ｒ６とオペアンプ２３とを有し、反転増幅器１３と同様に接続する。従って、反転増幅器２１の増幅率は２となり、発振器１１から出力された交流信号Ｓ０と逆相で振幅が２倍の交流信号Ｓ０を出力する。また、反転増幅器１３は、インバータ２２で反転された交流信号Ｓ０を再び反転するため、発振器１１から出力された交流信号Ｓ０と同相で振幅が２倍の第２の検出信号Ｓ２を出力する。従って、このように構成しても、上記実施形態と同様の効果を得ることができる。
【００３３】
・上記実施形態では、非反転増幅器１２の増幅率と反転増幅器１３の増幅率とを１としたが、これに限らず、第１の検出信号Ｓ１と第２の検出信号Ｓ２の振幅が同じであれば、非反転増幅器１２の増幅率と反転増幅器１３の増幅率を適宜変更してもよい。
【００３４】
・上記実施形態では、可変抵抗ＶＲを用いたが、可変抵抗ＶＲの代わりに抵抗値を変更できない抵抗を用いてもよい。
・上記実施形態では、非反転増幅器１２の出力端子からノードｎ１までの間に接続された可変抵抗ＶＲの抵抗値を調整して、非反転増幅器１２の出力端子からノードｎ１までの間の抵抗値と、反転増幅器１３の出力端子からノードｎ１までの間の抵抗値とが同一になるようにした。しかし、実施形態として上記構成に限定されることはなく、漏液が発生していないときに、非反転増幅器１２の出力端子からノードｎ１までの間の抵抗値と、反転増幅器１３の出力端子からノードｎ１のまで間の抵抗値とが同一になるように構成すればよい。
【００３５】
例えば、非反転増幅器１２の出力端子からノードｎ１までの間に平衡抵抗としての固定抵抗と抵抗値調整手段としての可変抵抗を接続し、反転増幅器１３の出力端子からノードｎ１までの間に検出用抵抗Ｒｘを接続してもよい。また、非反転増幅器１２の出力端子からノードｎ１までの間に平衡抵抗としての固定抵抗を接続し、反転増幅器１３の出力端子からノードｎ１までの間に検出用抵抗Ｒｘと抵抗値調整手段としての可変抵抗を接続してもよい。さらに、非反転増幅器１２の出力端子からノードｎ１までの間に平衡抵抗としての固定抵抗と抵抗値調整手段としての可変抵抗を接続し、反転増幅器１３の出力端子からノードｎ１までの間に検出用抵抗Ｒｘと抵抗値調整手段としての可変抵抗を接続してもよい。
【００３６】
・上記実施形態では、漏液が発生していないときのノードｎ１での電位Ｖｎ１を０Ｖとなるようにしたが、これに限らず、安定した電位であればどのような値であってもよい。
・上記実施形態では、発振器１１は所定の信号として正弦波電圧の交流信号Ｓ０を生成させたが、これに限らず、例えばパルス信号を生成して出力させてもよい。
【００３７】
・上記実施形態では、交流信号Ｓ０を発振器１１から出力させたが、これに限らず、マイクロコンピュータ１７から交流信号Ｓ０を出力させてもよい。
上記各実施の形態から把握できる技術的思想を以下に記載する。
【００３８】
（イ）前記平衡抵抗を含み前記第１の送出手段から前記平衡抵抗と前記検出用抵抗との接続点までの抵抗値と、前記検出用抵抗を含み前記第２の送出手段から前記平衡抵抗と前記検出用抵抗との接続点までの抵抗値との差がゼロとなるように調整する抵抗値調整手段と、を備えたことを特徴とする請求項１に記載の漏液検出装置。この構成によれば、平衡抵抗の抵抗値と検出用抵抗の抵抗値が変化しても、抵抗値調整手段によって、第１の送出手段から平衡抵抗と検出用抵抗との接続点までの抵抗値と、第２の送出手段から平衡抵抗と検出用抵抗との接続点までの抵抗値との差を埋めて安定した非検出状態を維持できる。仮に差が埋まらなくとも、検出用抵抗Ｒｘの抵抗値と可変抵抗ＶＲの抵抗値とに応じたしきい値を設定することにより、安定した非検出状態を維持できる。
【００３９】
（ロ）前記電圧信号レベルの最大値及び最小値を抽出する抽出手段と、前記最大値と前記最小値との差を算出する演算手段と、を備え、前記検出処理手段は、前記差と前記しきい値との比較に基づいて漏液の有無を検出することを特徴とする請求項１〜５，上記（イ）のうちのいずれか一に記載の漏液検出装置。この構成によれば、周辺温度の変化等の影響によって、平衡抵抗と検出用抵抗の抵抗値が完全に一致しない場合であっても、電圧信号レベルの最大値と最小値の差がしきい値の範囲内であれば漏液が発生していないと判定することが可能になり、誤検出を低減できる。
【００４０】
（ハ）最新の電圧信号レベルとその直前数点の電圧信号レベルのうちいずれかの電圧信号レベルとの検出信号レベルの差を算出する演算手段を備え、前記抽出手段は、当該差が所定レベル以上であるときは、該最新の電圧信号レベルを前記最大値及び前記最小値として抽出しないことを特徴とする上記（ロ）に記載の漏液検出装置。この構成によれば、検出動作中のノイズによる電圧信号レベルに基づいて漏液の有無を判定することを減少させ、誤検出を抑制することができる。
【００４１】
（ニ）前記検出処理手段は、前記所定の信号を発生させることを特徴とする請求項１〜５，上記（イ），（ロ），（ハ）のうちのいずれか一に記載の漏液検出装置。同構成によれば、検出処理手段と信号発生手段とが同じ部材によって構成されるため、漏液検出装置の部品点数を低減することができる。
【図面の簡単な説明】
【００４２】
【図１】漏液検出装置のブロック回路図。
【図２】別の漏液検出装置のブロック回路図。
【符号の説明】
【００４３】
１１…発振器、１２…非反転増幅器、１３、２１…反転増幅器、１４，１５，２３…オペアンプ、１６…Ｉ／Ｖ変換器、１７…マイクロコンピュータ、２２…インバータ、ｎ１…ノード、Ｒ１，Ｒ２，Ｒ３，Ｒ４，Ｒ５，Ｒ６…抵抗、Ｒｘ…検出用抵抗、Ｓ０…交流信号、Ｓ１…第１の検出信号、Ｓ２…第２の検出信号、ＶＲ…可変抵抗。
【図１】
2008116213.tif 000003
【図２】
2008116213.tif 000004